(57)【要約】【課題】冷房時に底面パネルとフラップとの間から冷風が吹き出して結露するのを防止する。【解決手段】熱交換器６と、送風ファン７と、板状をなして幅方向に延在する後縁５０ａを有するフラップ１０と、を有する空調機器５を有する本体部２と、本体部２の底面を覆う底面パネル１６であって、本体部２の下部に設けられたフラップ１０の後縁５０ａに沿う前端部４７ａを有し、幅方向Ｗに延在する板状の底面パネル本体４７と、送風ファン７によって生成される風が衝突するように、底面パネル本体４７の前端部４７ａから上方に突出する遮風リブ２１と、を有する底面パネル１６と、を有する空気調和機の室内機１を提供する。【選択図】図２
2018091564.tif 000002
【特許請求の範囲】
【請求項１】
熱交換器と、送風ファンと、板状をなして幅方向に延在する後縁を有するフラップと、を有する空調機器を有する本体部と、
前記本体部の底面を覆う底面パネルであって、前記本体部の下部に設けられた前記フラップの後縁に沿う前端部を有し、前記幅方向に延在する板状の底面パネル本体と、前記送風ファンによって生成される風が衝突するように、前記底面パネル本体の前端部から上方に突出する遮風リブと、を有する底面パネルと、を有する空気調和機の室内機。
【請求項２】
前記本体部は、壁面に固定されて前記壁面に沿う幅方向に延在し、前記空調機器が前方に取り付けられたベース部を有し、
前記底面パネルは、前記前端部から後方に向かうにしたがって上方に向かって湾曲して後端部が前記ベース部の背面よりも前方側に位置する湾曲部と、前記湾曲部の後端部から後方に向かって突出する第一リブと、を有する請求項１に記載の空気調和機の室内機。
【請求項３】
前記ベース部に前記底面パネルを締結する底面パネル締結構造であって、
前記ベース部に設けられたネジ孔と、
前記底面パネルの主面に設けられ、直線状の第一縁と、前記第一縁の反対側の直線状の第二縁とを有する開口部と、
前記開口部を覆うキャップ部と、
前記第一縁に接続され、前記第一縁から離間するにしたがって上方に向かうように傾斜し、前記ネジ孔に対応する貫通孔が形成された被締結板部と、
前記被締結板部の上側の端部と前記開口部の第二縁とを接続する邪魔部材と、を有する請求項２に記載の空気調和機の室内機。
【請求項４】
前記ベース部に設けられて、下方に突出するとともに幅方向に延在する第一基部と、前記第一基部の下端から前方と後方のうち一方に突出する第一突出部と、を有する第一係合部と、
前記底面パネルの上面に設けられ、前記第一係合部と係合する第二係合部であって、上方に突出するとともに前記幅方向に延在する第二基部と、前記第二基部の上端から前方と後方のうち他方に突出する第二突出部と、を有する第二係合部と、を有する請求項２又は請求項３に記載の空気調和機の室内機。
【請求項５】
前記ベース部の幅方向の両端に設けられた第三基部と、前記第三基部から前記幅方向の内側へ突出する第三突出部と、を有する一対の第三係合部と、
前記底面パネルの幅方向の両端に設けられ、前記第三係合部と係合する一対の第四係合部であって、上方に延在する第四基部と、前記第四基部の上部から幅方向の外側へ突出する第四突出部と、を有する一対の第四係合部と、を有する請求項２から請求項４のいずれか一項に記載の空気調和機の室内機。
【請求項６】
前記底面パネルは、
前記底面パネルの上面に設けられ前記上面に沿うとともに前記幅方向に対して傾斜する方向に延在し、上方に突出する第三リブと、
前記第三リブと交差し、前記上面に沿うとともに幅方向に対して傾斜する方向に延在し、上方に突出する第四リブと、を有する交差リブを有する請求項１から請求項５のいずれか一項に記載の空気調和機の室内機。
【発明の詳細な説明】
【技術分野】
【０００１】
本発明は、空気調和機の室内機に関する。
【背景技術】
【０００２】
従来から、内部に熱交換器や送風ファン等を収納した本体部と、本体部を覆う前面パネル等を有するカバー部と、を有する空気調和機が知られている。このような空気調和機は、室内の空気を吸い込んで温度、湿度の調整を行った後に、この空気を吐出することで室内の空調を行う（例えば、特許文献１参照。）。
【０００３】
このような空気調和機の室内機においては、空気を吐出する吹出口の下流側に、吹出口を開閉可能に外側から覆うフラップが設けられているのが一般的である。フラップとカバー部とは、フラップの外面とフラップの周囲のカバー部とが同一面をなすように形成されている。
【先行技術文献】
【特許文献】
【０００４】
【特許文献１】特開平９−６０９１６号公報
【発明の概要】
【発明が解決しようとする課題】
【０００５】
ところで、上記したような空気調和機の室内機においては、冷房時に本体部を覆うカバー部とフラップとの間から冷風が吹き出し、カバー部とフラップとが冷やされることによって、結露が発生することが課題となっている。
【０００６】
この発明は、冷房時に底面パネルとフラップとの間から冷風が吹き出して結露するのを防止することができる空気調和機の室内機を提供することを目的とする。
【課題を解決するための手段】
【０００７】
本発明の第一の態様によれば、空気調和機の室内機は、熱交換器と、送風ファンと、板状をなして幅方向に延在する後縁を有するフラップと、を有する空調機器を有する本体部と、前記本体部の底面を覆う底面パネルであって、前記本体部の下部に設けられた前記フラップの後縁に沿う前端部を有し、前記幅方向に延在する板状の底面パネル本体と、前記送風ファンによって生成される風が衝突するように、前記底面パネル本体の前端部から上方に突出する遮風リブと、を有する底面パネルと、を有する。
【０００８】
このような構成によれば、冷房時に遮風リブが冷風を遮断することによって、結露を防止することができる。即ち、冷房時に底面パネルとフラップとの間から冷風が吹き出して底面パネルとフラップとが冷却されるのを防止することができる。
【０００９】
上記空気調和機の室内機において、前記本体部は、壁面に固定されて前記壁面に沿う幅方向に延在し、前記空調機器が前方に取り付けられたベース部を有し、前記底面パネルは、前記前端部から後方に向かうにしたがって上方に向かって湾曲して後端部が前記ベース部の背面よりも前方側に位置する湾曲部と、前記湾曲部の後端部から後方に向かって突出する第一リブと、を有してよい。
【００１０】
このような構成によれば、底面パネルに湾曲部を設けることによって、利用者に圧迫感を与えないようなデザインとすることができる。また、底面パネルに第一リブを設けたことによって、室内機がその重量によって前方に傾こうとする際に、第一リブが壁面に突っ張ることによって、室内機が前方に傾くのを防止することができる。
【００１１】
上記空気調和機の室内機において、前記ベース部に前記底面パネルを締結する底面パネル締結構造であって、前記ベース部に設けられたネジ孔と、前記底面パネルの主面に設けられ、直線状の第一縁と、前記第一縁の反対側の直線状の第二縁とを有する開口部と、前記開口部を覆うキャップ部と、前記第一縁に接続され、前記第一縁から離間するにしたがって上方に向かうように傾斜し、前記ネジ孔に対応する貫通孔が形成された被締結板部と、前記被締結板部の上側の端部と前記開口部の第二縁とを接続する邪魔部材と、を有してよい。
【００１２】
このような構成によれば、底面パネルに邪魔部材が設けられていることによって、底面パネルをベース部に締結した後キャップ部を用いて開口部を覆う際に、キャップ部が底面パネルの内部に入り込むのを防止することができる。
【００１３】
上記空気調和機の室内機において、前記ベース部に設けられて、下方に突出するとともに幅方向に延在する第一基部と、前記第一基部の下端から前方と後方のうち一方に突出する第一突出部と、を有する第一係合部と、前記底面パネルの上面に設けられ、前記第一係合部と係合する第二係合部であって、上方に突出するとともに前記幅方向に延在する第二基部と、前記第二基部の上端から前方と後方のうち他方に突出する第二突出部と、を有してよい。
【００１４】
底面パネルが幅方向に延在していることによって、幅方向の幅が大きくなるように熱膨張する。第一係合部と第二係合部とを、第一係合部の第一突出部と第二係合部の第二突出部とが幅方向に突出するように形成した場合、底面パネルが幅方向に熱膨張することによって係合代が少なくなり、係合が外れやすくなる。
一方、本発明の構成によれば、第一係合部の第一突出部と第二係合部の第二突出部とが前後方向に突出していることによって、底面パネルが幅方向に熱膨張することによって第一係合部と第二係合部との係合が不十分になるのを防止することができる。即ち、底面パネルが幅方向に熱膨張した場合においても、前後方向の係合代に影響がないため、係合が外れるのを防止することができる。
【００１５】
上記空気調和機の室内機において、前記ベース部の幅方向の両端に設けられた第三基部と、前記第三基部から前記幅方向の内側へ突出する第三突出部と、を有する一対の第三係合部と、前記底面パネルの幅方向の両端に設けられ、前記第三係合部と係合する一対の第四係合部であって、上方に延在する第四基部と、前記第四基部の上部から幅方向の外側へ突出する第四突出部と、を有する一対の第四係合部と、を有してよい。
【００１６】
このような構成によれば、底面パネルの両端部が下方に下がるのを防止することができる。
【００１７】
上記空気調和機の室内機において、前記底面パネルは、前記底面パネルの上面に設けられ前記上面に沿うとともに前記幅方向に対して傾斜する方向に延在し、上方に突出する第三リブと、前記第三リブと交差し、前記上面に沿うとともに前記幅方向に対して傾斜する方向に延在し、上方に突出する第四リブと、を有する交差リブを有してよい。
【００１８】
このような構成によれば、底面パネルを強固な構造とすることができる。即ち、底面パネルを幅方向に長い形状とした場合においても、底面パネルの板厚を増すことなく、強度を向上させることができる。
【発明の効果】
【００１９】
本発明によれば、冷房時に遮風リブが冷風を遮断することによって、結露を防止することができる。即ち、冷房時に底面パネルとフラップとの間から冷風が吹き出して底面パネルとフラップとが冷却されるのを防止することができる。
【図面の簡単な説明】
【００２０】
【図１】本発明の実施形態の空気調和機の室内機の分解斜視図である。
【図２】本発明の実施形態の空気調和機の室内機の側断面図である。
【図３】本発明の実施形態のベース部と底面パネルの斜視図である。
【図４】本発明の実施形態のベースの第一係合部と底面パネルの第二係合部の斜視図である。
【図５】本発明の実施形態のベースの第三係合部と底面パネルの第四係合部の斜視図である。
【図６】本発明の実施形態のフラップの支持構造の斜視図である。
【図７】本発明の実施形態の底面パネル締結構造の斜視図である。
【図８】本発明の実施形態の底面パネル締結構造を下方から見た図である。
【図９】本発明の実施形態のキャップ部の斜視図である。
【発明を実施するための形態】
【００２１】
空気調和機１００は、室内に設けられる室内機１と室外に設けられる室外機（図示せず）とを備えている。室内機１と室外機とは、配管によって接続されている。
室内機１は、空気を吸い込んで温度や湿度の調整を行った後に空気を吹き出し、室内の空気調和を行う。
以下、本発明の実施形態の室内機１について図面を参照して詳細に説明する。
【００２２】
以下の説明では、前面、上面、底面、背面、及び側面は、室内機１が壁面Ｗａに取り付けられた状態を基準として表現した面である。前面とは、手前側の面を意味し、上面とは室内の天井側の面を意味し、底面は室内の床側の面を意味し、背面とは室内の壁面Ｗａ側の面を意味し、側面とは、室内の壁面Ｗａ側に向かって幅方向Ｗの左右の面を意味する。
【００２３】
図１及び図２に示すように、室内機１は、空調機器５を有する本体部２と、本体部２を覆うカバー部３と、を備えている。
本体部２は、壁面Ｗａに固定されて壁面Ｗａに沿う幅方向Ｗに延在するベース部１１と、ベース部１１の前方ＦＢ１に取り付けられている空調機器５と、を有している。本体部２の前面の上部には、空気の吸込口８が設けられている。本体部２の下部には、吹出口９が設けられている。
【００２４】
カバー部３は、本体部２の前面を覆う前面パネル１４と、本体部２の上面を覆う天面パネル１５と、本体部２の底面を覆う底面パネル１６と、本体部２の左右の側部を覆う一対の側面パネル１７を有している。
【００２５】
ベース部１１は、その背面が壁面Ｗａと面接触している。ベース部１１は、金属によって形成されている据付板１２と、据付板１２に例えばボルトのような締結部材によって固定されるベース１３と、を有している。
据付板１２は、矩形板状をなし、複数の取付孔（図示せず）や、ベース部１１を掛けるためのフック１２ａ（図２参照）等が形成されている。据付板１２は、例えば木ネジによって壁面Ｗａに固定されている。
【００２６】
ベース１３は、空調機器５を支持するとともに、カバー部３が取り付けられる部材である。ベース１３は、樹脂によって形成されている。
図２及び図３に示すように、ベース１３は、幅方向Ｗに延在する矩形状の台部１９と、台部１９の前方ＦＢ１に設けられた空調機器保持部２０（ベース部本体）と、空調機器保持部２０の下部に幅方向Ｗに間隔をあけて設けられた第一係合部２３（図４参照）と、台部１９の幅方向Ｗの両端に設けられた一対の第三係合部３８と、底面パネル１６を取り付けるための複数のネジ孔２２と、を有している。
【００２７】
台部１９は、据付板１２とともに本体部２の背面をなす部材であり、据付板１２のフックに掛かるフック１９ａ等を有している。空調機器保持部２０は、円筒形状の内周面２０ａを有している。空調機器５は、空調機器保持部２０に保持される。
【００２８】
図４に示すように、ベース１３の空調機器保持部２０の下部には、底面パネル１６に設けられている第二係合部３２と協働して底面パネル１６を支持する第一係合部２３と、一対の移動規制部２７が設けられている。
第一係合部２３は、空調機器保持部２０から後方ＦＢ２に突出する第一板部２４と、第一板部２４の後端から下方に突出する第一基部２５と、第一基部２５の下端から前方ＦＢ１に突出する第一突出部２６と、を有している。
【００２９】
第一板部２４は、主面が上下方向Ｖと直交するように形成されている板状の部材である。
第一基部２５は、主面が前後方向ＦＢと直交するように形成されている板状の部材である。
第一突出部２６は、幅方向Ｗから見て三角形状をなしている。第一突出部２６は、幅方向Ｗに延在するとともに上方を向く第一係合面２８と、第一係合面２８の前端と第一基部２５の先端とを接続する第一導入面２９とを有している。第一導入面２９は、上方に向かうにしたがって前方ＦＢ１に傾斜する面である。
【００３０】
一対の移動規制部２７は、第一係合部２３に係合する第二係合部３２の幅方向Ｗの移動を規制する部位である。移動規制部２７は、主面が幅方向Ｗに直交するように形成されている板状の部材である。移動規制部２７は、第一突出部２６の前後に所定の間隔をあけて設けられている。
第一係合部２３は、幅方向Ｗに間隔をあけて３つ形成されている。
【００３１】
図５に示すように、ベース１３の幅方向Ｗの両端には、底面パネル１６の第四係合部４４と協働して底面パネル１６を支持する第三係合部３８が設けられている（図５には、片方の第三係合部３８のみ示す。）。
第三係合部３８は、台部１９の幅方向Ｗの両端の縁に設けられた壁形状の第三基部３９と、第三基部３９の下端に設けられている第三突出部４０と、を有している。第三基部３９は、台部１９の幅方向Ｗの端部から前方ＦＢ１に突出している板状の部位である。
【００３２】
第三突出部４０は、第三基部３９の下端に設けられて、幅方向Ｗの内側に突出する部材である。第三突出部４０は、上方を向く第三係合面４１と、第三係合面４１の先端と第三基部３９の下端とを接続し、幅方向Ｗの内側に向かって漸次高くなるような第三導入斜面４２と、を有している。
【００３３】
図３に示すように、ベース１３の空調機器保持部２０の下部には、底面パネル１６を取り付けるための複数のネジ孔２２が設けられている。ネジ孔２２は、後述する底面パネル締結構造６４の構成要素である。
ネジ孔２２は、空調機器保持部２０から前方ＦＢ１に突出するネジ孔板部３０に形成されている。
【００３４】
空調機器５は、熱交換器６と、送風ファン７と、フラップ１０と、を有している。
送風ファン７は、幅方向Ｗに延びるクロスフローファンである。
熱交換器６は、送風ファン７を外周から囲むように設けられている。
空調機器５の下部には、送風ファン７からの空気を室内に吹出すための吹出口９が下向き、斜め下向き、又は前向きに設けられている。
【００３５】
吹出口９の下流側には、吹出口９を開閉可能に外側から覆うフラップ１０が配置されている。フラップ１０は、空気調和機１００の運転時に開状態となり、吹出口９からの空気の上下方向Ｖの向きを調整するために、傾斜角度を調整可能である。フラップ１０は、空気調和機１００の停止時には閉状態となり、吹出口９を周囲のカバー部３の表面とともに覆うことが可能である。
【００３６】
図２及び図６に示すように、フラップ１０は、板状をなすフラップ本体５０と、フラップ本体５０を支持する支持構造５１と、を有している。フラップ本体５０は、略板状に形成された成形体からなる。フラップ本体５０の幅方向Ｗの長さは、吹出口９に対応している。フラップ本体５０の後縁５０ａは幅方向Ｗに延在している。フラップ１０は図示しない回動機構によって、吹出口９の開口部の大きさを調整可能となっている。
【００３７】
支持構造５１は、フラップ本体５０の後端側に設けられている。
支持構造５１は、フラップ１０をベース１３に回動可能に支持するアーム５２を備えている。アーム５２は、アーム本体５３と、アーム本体５３の一端に設けられてベース１３に回動可能に連結された回動連結部５４と、アーム本体５３の他端に設けられてフラップ本体５０の後端部に固定された固定部５５と、を有している。
【００３８】
アーム本体５３は幅方向Ｗから見て半円形状に大きく湾曲して形成されている。アーム本体５３は、空気調和機１００の作動時の状態（フラップ１０が開状態）では上向きに凸となる。
【００３９】
回動連結部５４は、切欠部５４ａを有している。回動連結部５４の切欠部５４ａは、ベース１３の下部に設けられて、幅方向Ｗに延びる軸線を中心とした回動軸（図示せず）に嵌合可能である。回動連結部５４の切欠部５４ａは、略Ｃ字状に形成されている。回動連結部５４の切欠部５４ａは、空気調和機１００の作動時の状態（フラップ１０が開状態）では開口が下方を向く。
【００４０】
次に、本体部２を覆うカバー部３について説明する。
図１に示すように、前面パネル１４は、本体部２の前面に着脱可能に設けられている。前面パネル１４は本体部２の前面を覆い、本体部２との間から本体部２内に空気を吸い込めるようにしている。
天面パネル１５は、本体部２の上面に着脱可能に設けられている。天面パネル１５は、本体部２の上面を覆っている。
一対の側面パネル１７は、本体部２の左右の側部にそれぞれ着脱可能に設けられている。一対の側面パネル１７は、本体部２の側面を覆っている。
【００４１】
底面パネル１６は、本体部２の底面に着脱自在に設けられている。底面パネル１６は、本体部２の底面を覆っている。
図２及び図３に示すように、底面パネル１６は、底面パネル本体４７と、底面パネル本体４７の幅方向Ｗの両端から上方に延在する一対のステー部４８と、底面パネル本体４７の上面に設けられた３つの第二係合部３２と、底面パネル本体４７の上面に設けられた複数の交差リブ５７と、底面パネル本体４７の後端から後方ＦＢ２に突出する第一リブ１８と、底面パネル本体４７の前端から上方に突出する遮風リブ２１と、を有している。底面パネル本体４７の前端部４７ａは、フラップ本体５０の後縁５０ａに沿っている。底面パネル本体４７の前端部４７ａとフラップ本体５０の後縁５０ａとの間には、幅方向Ｗにわたって隙間が形成されている。
遮風リブ２１は、送風ファン７によって生成される風が衝突するように形成されている。
【００４２】
図４に示すように、底面パネル本体４７の上面には、ベース１３に設けられている第一係合部２３と協働して底面パネル１６を支持する第二係合部３２が設けられている。第二係合部３２は、第二基部３３と、第二基部３３の上端から後方ＦＢ２に突出する第二突出部３４と、を有している。
【００４３】
第二基部３３は、上方に突出するとともに幅方向Ｗに延在する部材である。
第二突出部３４は、幅方向Ｗから見て三角形状をなしている。第二突出部３４は、幅方向Ｗに延在するとともに下方を向く第二係合面３５と、第二係合面３５の後端と第二基部３３の先端とを接続する第二導入面３６とを有している。第二導入面３６は、上方に向かうにしたがって前方ＦＢ１に傾斜する面である。
【００４４】
第二係合部３２は、幅方向Ｗに間隔をあけて３つ形成されている。第二係合部３２は、第一係合部２３に対応する位置に形成されている。
【００４５】
図５に示すように、各々のステー部４８は、ステー部本体４９と、ステー部本体４９の上端に設けられた第四係合部４４と、を有している。第四係合部４４は、ベース１３の第三係合部３８と協働して底面パネル１６の幅方向Ｗの両端を支持する部材である。
ステー部本体４９は、上下方向Ｖに延在する板状の部材である。ステー部本体４９の主面は、前後方向ＦＢを向いている。
【００４６】
第四係合部４４は、ステー部本体４９とともに上方に突出する第四基部４５と、第四基部４５の上端から幅方向Ｗの外側へ突出する第四突出部４６と、を有している。
第四基部４５は、板状をなし、ステー部本体４９の前面から前方ＦＢ１に突出するように形成されている。第四基部４５の主面は、幅方向Ｗを向いている。
第四突出部４６は、下方を向く第四係合面６１と、第四係合面６１の先端と第四基部４５の上端とを接続し、幅方向Ｗ外側に向かって漸次低くなるような第四導入斜面６２と、を有している。
【００４７】
図７、図８、及び図９に示すように、底面パネル１６の底面パネル本体４７は、底面パネル締結構造６４によってベース１３に取り付けられている。
底面パネル締結構造６４は、ベース１３に設けられた複数のネジ孔２２（図３参照）と、底面パネル１６に形成された開口部６５（図８参照）、被締結板部６６（図７参照）、及び邪魔部材６７と、開口部６５を覆うキャップ部６８と、を有している。
開口部６５は、ネジ孔２２に対応する位置に設けられている。開口部６５は、矩形状をなしている。開口部６５は、直線状の第一縁６５ａと、第一縁６５ａの反対側の直線状の第二縁６５ｂとを有している。
キャップ部６８は、底面パネル締結構造６４に使用されるネジを隠すための部品である。キャップ部６８は、開口部６５に取り付け可能である。キャップ部６８は、開口部６５の第一縁６５ａに取り付けられる回動軸部７３を中心に回動させることができる。
【００４８】
被締結板部６６は、底面パネル本体４７の主面に対して傾斜して形成されている板状の部位である。被締結板部６６は、開口部６５の第一縁６５ａに接続され、第一縁６５ａから離間するにしたがって上方に向かうように傾斜している。
被締結板部６６の中心部には、底面パネル１６を締結するネジの軸部が挿通される貫通孔７２が形成されている。
【００４９】
被締結板部６６は、被締結板部６６の上端６６ａと開口部６５の第一縁６５ａとは反対側の第二縁６５ｂとを接続する第一接続板６９と、被締結板部６６の側辺６６ｃと開口部６５の側縁６５ｃとを接続する一対の第二接続板７０とによって、底面パネル本体４７に接続されている。
【００５０】
被締結板部６６の第一接続板６９との接続部とは反対側の下縁６６ｂと、開口部６５の第一縁６５ａとの間には、間隔Ｇ１が形成されている。第二接続板７０には、後述するキャップ突起７４が係合する、係合孔７１が形成されている。
【００５１】
図９に示すように、キャップ部６８は、開口部６５に対応する矩形形状をなす板状の部材である。キャップ部６８の第一辺６８ａには、回動軸部７３が形成されている。回動軸部７３は、キャップ部６８の第一辺６８ａに沿う方向に突出している。回動軸部７３は、一対の第二接続板７０に形成されている、軸受部（図示せず）に回動可能に支持されている。
キャップ部６８の第一辺６８ａの反対側の第二辺６８ｂには、第二辺６８ｂに沿う方向に突出する一対のキャップ突起７４が形成されている。キャップ突起７４は、第二接続板７０の係合孔７１に係合する半球状の突起である。
【００５２】
本実施形態の底面パネル締結構造６４は、開口部６５の第一縁６５ａと被締結板部６６の下縁６６ｂとを接続する邪魔部材６７を有している。邪魔部材６７は、被締結板部６６の下縁６６ｂと開口部６５の第一縁６５ａとの間の間隔Ｇ１の一部を塞ぐように形成されている。
【００５３】
図３及び図７に示すように、底面パネル本体４７の上面には、幅方向Ｗに延在する第五リブ７６と、第五リブ７６と直交して前後方向ＦＢに延在する複数の第六リブ７７と、が形成されている。
第五リブ７６は、底面パネル本体４７の上面から上方に突出する板状の部材である。第五リブ７６の主面は、底面パネル本体４７の上面と直交している。第五リブ７６は、底面パネル本体４７の前側に形成されている。
複数の第六リブ７７は、第五リブ７６の後方ＦＢ２に形成されている。複数の第六リブ７７は、幅方向Ｗに間隔をあけて形成されている。
【００５４】
交差リブ５７は、互いに交差するように形成されている第三リブ５８と、第四リブ５９と、を有している。
第三リブ５８は、底面パネル本体４７の上面から上方に突出する板状の部材である。第三リブ５８は底面パネル本体４７の上面に沿うとともに幅方向Ｗに対して傾斜する方向に延在している。第三リブ５８の主面は、底面パネル本体４７の上面と直交している。
第四リブ５９は、第三リブ５８と同様に、底面パネル本体４７の上面から上方に突出する板状の部材である。第四リブ５９は底面パネル本体４７の上面に沿うとともに幅方向Ｗに対して傾斜する方向に延在している。第四リブ５９の主面は、底面パネル本体４７の上面と直交している。
【００５５】
交差リブ５７は、互いに隣り合う二本の第六リブ７７と第五リブ７６とから形成される矩形状の領域に形成されている。交差リブ５７を構成する第三リブ５８と第四リブ５９とは、上記矩形状の領域の対角線をなすように形成されている。
交差リブ５７の底面パネル本体４７の上面からの高さは、例えば、３ｍｍとすることができる。交差リブ５７の底面パネル本体４７の上面からの高さは、底面パネル本体４７の厚さに応じて適宜変更することができる。底面パネル１６の成形を容易とするために、交差リブ５７の交差点に、円形のリブを設けてもよい。
交差リブ５７の数は、適宜変更することができるが、強度を向上させるためには、多い程好ましい。
【００５６】
図２及び図３に示すように、底面パネル１６の底面パネル本体４７は、フラップ本体５０の後縁５０ａに沿う前端部４７ａと、前端部４７ａから後方ＦＢ２に向かうにしたがって上方に向かって湾曲する湾曲部７９を有している。湾曲部７９は、湾曲部７９の後端部４７ｂと壁面Ｗａとの間の隙間Ｇ２が幅方向Ｗに均等に設けられるように形成されている。換言すれば、湾曲部７９の後端部４７ｂは、ベース部１１の背面よりも前方側に位置している。
【００５７】
底面パネル１６は、湾曲部７９の後端部４７ｂから後方ＦＢ２に向かって突出する第一リブ１８を有している。第一リブ１８は、幅方向Ｗに延在する板状の部材である。第一リブ１８の主面は、略水平である。第一リブ１８は、第一リブ１８の前端と底面パネル本体４７の湾曲部７９の後端とのなす角が、９０°から１５０°となるように形成されている。第一リブ１８は、湾曲部７９と壁面Ｗａとの間の隙間Ｇ２を覆うように形成されている。
【００５８】
底面パネル１６の底面パネル本体４７は、底面パネル本体４７の前端部４７ａから上方に突出する遮風リブ２１を有している。
遮風リブ２１は、幅方向Ｗに延在する板状の部材である。遮風リブ２１の主面は前方ＦＢ１を向いている。遮風リブ２１は、遮風リブ２１の下端と底面パネル本体４７の前端部４７ａの後端とのなす角が、９０°から１２０°となるように形成されている。図４に示すように、遮風リブ２１には、フラップ１０のアーム５２との干渉を避けるために、逃げ部８０が形成されている。
【００５９】
次に、本実施形態の空気調和機１００の室内機１の底面パネル１６の取り付け方法について説明する。
底面パネル１６は、ベース１３の下部に設けられている第一係合部２３と底面パネル本体４７の上面に設けられている第二係合部３２とを係合させ、ベース１３の幅方向Ｗの両端に設けられている第三係合部３８と底面パネル１６のステー部４８に設けられている第四係合部４４とを係合させ、底面パネル締結構造６４を用いて、底面パネル本体４７をベース１３に締結することによって取り付けられる。
【００６０】
底面パネル本体４７は、第一係合部２３の第一突出部２６と第二係合部３２の第二突出部３４とが係合することによって支持される。
底面パネル本体４７の幅方向Ｗの両端は、第三係合部３８の第三突出部４０と第四係合部４４の第四突出部４６とが係合することによって支持される。第四係合部４４を第三係合部３８の下方から挿入することによって、第三係合部３８と第四係合部４４とを係合させることができる。
この際、第四係合部４４の第四導入斜面６２が第三係合部３８の第三導入斜面４２上を滑るとともに、第四係合部４４の第四基部４５が弾性変形する。第四基部４５が板状をなし、第四基部４５の主面が幅方向Ｗを向いていることによって、第四基部４５は、容易に幅方向Ｗの内側に変形する。
【００６１】
底面パネル本体４７は、底面パネル締結構造６４を用いて、ベース部１１に締結することができる。具体的には、ネジを用いて底面パネル本体４７の被締結板部６６をベース１３のネジ孔板部３０に締結することによって、底面パネル本体４７をベース１３に固定することができる。
底面パネル本体４７の固定後は、キャップ部６８を用いて底面パネル本体４７の開口部６５を塞ぐことができる。
【００６２】
次に、第一リブ１８の作用について説明する。
本実施形態の底面パネル本体４７には湾曲部７９が設けられていることによって、室内機１を利用者に圧迫感を与えないようなデザインとすることができる。湾曲部７９に第一リブ１８が形成されていることによって、湾曲部７９の強度を向上させることができる。また、室内機１がその重量によって前方ＦＢ１に傾こうとする際に、第一リブ１８が壁面Ｗａに突っ張る。
【００６３】
次に、遮風リブ２１の作用について説明する。
冷房時においては、吹出口９からは冷風が吐出される。この際、遮風リブ２１が無い場合、冷風は、フラップ１０と底面パネル１６との間の隙間から吹き出す。これにより、結露が発生することがある。本実施形態の底面パネル１６に遮風リブ２１が設けられていることによって、フラップ１０と底面パネル１６との間の隙間から吹き出す冷風が遮断される。
【００６４】
上記実施形態によれば、冷房時に遮風リブ２１が冷風を遮断することによって、結露を防止することができる。即ち、冷房時に底面パネル１６とフラップ１０との間から冷風が吹き出して底面パネル１６とフラップ１０とが冷却されるのを防止することができる。
【００６５】
また、底面パネル本体４７に湾曲部７９を設けることによって、室内機１を利用者に圧迫感を与えないようなデザインとすることができる。また、底面パネル１６に第一リブ１８を設けたことによって、室内機１がその重量によって前方ＦＢ１に傾こうとする際に、第一リブ１８が壁面Ｗａに突っ張ることによって、室内機１が前方ＦＢ１に傾くのを防止することができる。
【００６６】
また、底面パネル１６に邪魔部材６７が設けられていることによって、底面パネル１６をベース部１１に締結した後キャップ部６８を用いて開口部６５を覆う際に、キャップ部６８が底面パネル１６の内部に入り込むのを防止することができる。
【００６７】
また、底面パネル１６が幅方向Ｗに延在していることによって、幅方向Ｗの幅が大きくなるように熱膨張する。第一係合部２３と第二係合部３２とを、第一係合部２３の第一突出部２６と第二係合部３２の第二突出部３４とが幅方向Ｗに突出するように形成した場合、底面パネル１６が幅方向Ｗに熱膨張することによって係合代が少なくなり、係合が外れやすくなる。
【００６８】
一方、本発明の構成によれば、第一係合部２３の第一突出部２６と第二係合部３２の第二突出部３４とが前後方向ＦＢに突出していることによって、底面パネル１６が幅方向Ｗに熱膨張することによって第一係合部２３と第二係合部３２との係合が不十分になるのを防止することができる。即ち、底面パネル１６が幅方向Ｗに熱膨張した場合においても、前後方向ＦＢの係合代に影響がないため、係合が外れるのを防止することができる。
【００６９】
また、底面パネル本体４７の上面に交差リブ５７を設けたことによって、底面パネル１６を強固な構造とすることができる。即ち、底面パネル１６を幅方向Ｗに長い形状とした場合においても、底面パネル１６の板厚を増すことなく、強度を向上させることができる。
【００７０】
また、ベース１３の幅方向Ｗ両端に設けられた第三係合部３８と、底面パネル１６の両端に設けられた第四係合部４４とを係合させることによって、底面パネル１６の両端部が下方に下がるのを防止することができる。
【００７１】
以上、本発明の実施の形態について図面を参照して詳述したが、具体的な構成はこの実施の形態に限られるものではなく、本発明の要旨を逸脱しない範囲の設計変更等も含まれる。
なお、上記実施形態では、ベース１３に設けられている第一係合部２３の第一突出部２６が前後方向ＦＢの前方ＦＢ１に突出し、底面パネル１６に設けられている第二係合部３２の第二突出部３４が前後方向ＦＢの後方ＦＢ２側に突出している構成としたがこれに限ることはない。即ち、第一係合部２３の第一突出部２６が前後方向ＦＢの後方ＦＢ２側に突出し、第二係合部３２の第二突出部３４が前後方向ＦＢの前方ＦＢ１側に突出している構成としてもよい。
【符号の説明】
【００７２】
１  室内機
２  本体部
３  カバー部
５  空調機器
６  熱交換器
７  送風ファン
８  吸込口
９  吹出口
１０  フラップ
１１  ベース部
１２  据付板
１３  ベース
１４  前面パネル
１５  天面パネル
１６  底面パネル
１７  側面パネル
１８  第一リブ
１９  台部
２０  空調機器保持部（ベース部本体）
２１  遮風リブ
２２  ネジ孔
２３  第一係合部
２４  第一板部
２５  第一基部
２６  第一突出部
２７  移動規制部
２８  第一係合面
２９  第一導入面
３０  ネジ孔板部
３２  第二係合部
３３  第二基部
３４  第二突出部
３５  第二係合面
３６  第二導入面
３８  第三係合部
３９  第三基部
４０  第三突出部
４１  第三係合面
４２  第三導入斜面
４４  第四係合部
４５  第四基部
４６  第四突出部
４７  底面パネル本体
４８  ステー部
４９  ステー部本体
５０  フラップ本体
５０ａ  後縁
５１  支持構造
５２  アーム
５３  アーム本体
５４  回動連結部
５５  固定部
５７  交差リブ
５８  第三リブ
５９  第四リブ
６１  第四係合面
６２  第四導入斜面
６４  底面パネル締結構造
６５  開口部
６６  被締結板部
６７  邪魔部材
６８  キャップ部
６９  第一接続板
７０  第二接続板
７１  係合孔
７２  貫通孔
７３  回動軸部
７４  キャップ突起
７６  第五リブ
７７  第六リブ
７９  湾曲部
８０  逃げ部
１００  空気調和機
ＦＢ  前後方向
ＦＢ１  前方
ＦＢ２  後方
Ｖ  上下方向
Ｗ  幅方向
Ｗａ  壁面
【図１】
2018091564.tif 000003
【図２】
2018091564.tif 000004
【図３】
2018091564.tif 000005
【図４】
2018091564.tif 000006
【図５】
2018091564.tif 000007
【図６】
2018091564.tif 000008
【図７】
2018091564.tif 000009
【図８】
2018091564.tif 000010
【図９】
2018091564.tif 000011